(57)【特許請求の範囲】
【請求項１】
装着した容器体（８０）内の液と外気とを混合・起泡して泡としてノズルから噴出する泡吐出器の吐出ヘッドであって、
前方へ突設したノズル（１４）の先端部に別部材として嵌挿された筒部材（Ｃ）の内部に、柔軟で弾力性に富む材質で形成されたアンブレラ型弁体（Ｂ）を設けてなり、
上記筒部材（Ｃ）は、ノズル（１４）の先端部内に嵌着した嵌合筒部（３０）の先端縁よりノズル（１４）の端面に係合するフランジ（３１）を介して嵌合筒部（３０）より大径の装着筒部（３２）を延設して、この装着筒部（３２）の先端を泡吐出口とするとともに、装着筒部（３２）内中央に支持リブ（３３）により泡の流通が可能に支持された支持棒（３４）を備えており、
上記アンブレラ型弁体（Ｂ）は、上記支持棒（３４）外周に嵌着固定した嵌着筒部（２１）と、嵌着筒部（２１）の後端部外面より延設して前方へ向かって広がるテーパ状をなし、先端縁を装着筒部（３２）の内面に圧接して筒部材（Ｃ）の流路（ｐ）を閉塞し、吐出操作時の内圧で先端部を中心側へ弾性変形することで泡の吐出が可能となる弁板（２０）とを備えていることを特徴とする泡吐出器の吐出ヘッド。
【請求項２】
泡吐出器が、容器体（８０）の口頸部（８１）外周に嵌合させる装着キャップ（４０）に上端部を固定して容器体（８０）内に垂下するとともに、大径の空気用シリンダ（４２）及び小径の液用シリンダ（４３）を上下に同心円状に連設してなるシリンダ部材（４１）と、液用シリンダ（４３）内を摺動する液用ピストン（５２）をステム（５１）外周下部より突設するとともに、空気用シリンダ（４２）内を摺動する空気用ピストン（５３）をステム（５１）外周上部に連係させ、ステム（５１）上端に吐出ヘッド（Ａ）を嵌着して上方付勢状態で上下動可能に装着した作動部材（５０）とを備え、作動部材（５０）の上下動により液用シリンダ（４３）内の液と空気用シリンダ（４２）内の空気を合流させて起泡させ、吐出ヘッド（Ａ）の吐出口より泡として吐出する如く構成した泡吐出器である請求項１に記載の泡吐出器の吐出ヘッド。
【発明の詳細な説明】
【技術分野】
【０００１】
本発明は泡吐出器の吐出ヘッドに関し、詳しくは、ノズルの固化防止構造を備えた泡吐出器の吐出ヘッドに関する。
【背景技術】
【０００２】
装着した容器体内の液と外気とを混合・起泡して泡として噴出する泡吐出器が提案されている。例えば、空気用シリンダ及び液用シリンダを備え、各シリンダ内を摺動する空気用ピストン及び液用ピストンを備えた作動部材を上下動させることにより各シリンダ内の空気と液とを合流させて起泡させ、泡として吐出する泡吐出器が種々提案されている。（例えば、特許文献１を参照）
【０００３】
特許文献１に記載されている泡吐出器の吐出ヘッドは作動部材上端部を構成し、作動部材を構成するステムの上端に嵌着した縦筒に基端を開口して前方へノズルを突設した形態をなしており、起泡された泡が縦筒内よりノズル内を介して吐出口より吐出する如く構成されている。
【先行技術文献】
【特許文献】
【０００４】
【特許文献１】特開２００９−２０８７８６号公報
【発明の概要】
【発明が解決しようとする課題】
【０００５】
本発明は上記した従来の泡吐出器の吐出ヘッドに於いて、ノズルの固化防止構造を備えることでノズル内の残液の固化を防止できる。
【課題を解決するための手段】
【０００６】
第１の手段として、以下の通り構成した。即ち、  装着した容器体８０内の液と外気とを混合・起泡して泡としてノズルから噴出する泡吐出器の吐出ヘッドであって、
前方へ突設したノズル１４の先端部に別部材として嵌挿された筒部材Ｃの内部に、柔軟で弾力性に富む材質で形成されたアンブレラ型弁体Ｂを設けてなり、
上記筒部材Ｃは、ノズル１４の先端部内に嵌着した嵌合筒部３０の先端縁よりノズル１４の端面に係合するフランジ３１を介して嵌合筒部３０より大径の装着筒部３２を延設して、この装着筒部３２の先端を泡吐出口とするとともに、装着筒部３２内中央に支持リブ３３により泡の流通が可能に支持された支持棒３４を備えており、
上記アンブレラ型弁体Ｂは、上記支持棒３４外周に嵌着固定した嵌着筒部２１と、嵌着筒部２１の後端部外面より延設して前方へ向かって広がるテーパ状をなし、先端縁を装着筒部３２の内面に圧接して筒部材Ｃの流路ｐを閉塞し、吐出操作時の内圧で先端部を中心側へ弾性変形することで泡の吐出が可能となる弁板２０とを備えている。
【０００９】
第２の手段として、以下の通り構成した。即ち、前記第１の手段に於いて、泡吐出器が、容器体８０の口頸部８１外周に嵌合させる装着キャップ４０に上端部を固定して容器体８０内に垂下するとともに、大径の空気用シリンダ４２及び小径の液用シリンダ４３を上下に同心円状に連設してなるシリンダ部材４１と、液用シリンダ４３内を摺動する液用ピストン５２をステム５１外周下部より突設するとともに、空気用シリンダ４２内を摺動する空気用ピストン５３をステム５１外周上部に連係させ、ステム５１上端に吐出ヘッドＡを嵌着して上方付勢状態で上下動可能に装着した作動部材５０とを備え、作動部材５０の上下動により液用シリンダ４３内の液と空気用シリンダ４２内の空気を合流させて起泡させ、吐出ヘッドＡの吐出口より泡として吐出する如く構成した泡吐出器である。
【発明の効果】
【００１０】
本発明によれば、ノズル１４の先端部に柔軟で弾力性に富む材質で形成されたアンブレラ型弁体Ｂを設けているので、泡吐出後に液状化した泡が固化してノズル１４内先端部の泡の吐出を阻害したり、詰まらせたりする等の不都合を確実に防止することができる。また、アンブレラ型弁体Ｂによるノズル先端部の閉塞により、泡吐出器内のノズル上流に位置するメッシュ等の起泡部材に付着した泡の固化も確実に防止できる利点も兼ね備えており、吐出口に至る流路内の円滑な流動が可能となる。更に、アンブレラ型弁体Ｂは、流路ｐ中央に泡の流通が可能に支持された支持棒３４外周に嵌着固定した嵌着筒部２１と、嵌着筒部２１外面より延設して前方へ向かって広がるテーパ状をなし、先端縁を流路ｐの筒壁内面に圧接して流路ｐを閉塞し、吐出操作時の内圧で先端部を中心側へ弾性変形することで泡の吐出が可能となる弁板２０とで構成されているため、構造が簡単であり、容易に製造できる。
【００１１】
支持棒３４をノズル１４と別部材でノズル１４先端部に泡の流通が可能に嵌着固定し、支持棒３４に嵌着筒部２１を介してアンブレラ型弁体Ｂを嵌着固定した場合には、予めアンブレラ型弁体Ｂを支持棒３４を備えた別部材に嵌着固定した後にノズル１４へ嵌着することで容易な組み付け操作が可能であり、また、一般的な先端が筒状をなす吐出ヘッドＡを備えた泡吐出器へ適用でき、泡吐出器の簡単な構造を変更が可能となる。
【００１２】
別部材として、ノズル１４の先端部内に嵌着した嵌合筒部３０の先端縁よりノズル１４の端面に係合するフランジ３１を介して装着筒部３２を延設するとともに、装着筒部３２内中央に支持リブ３３により支持された支持棒３４を備えた筒部材Ｃを設け、アンブレラ型弁体Ｂは、支持棒３４外周に嵌着固定した嵌着筒部２１の外面より弁板２０を突設してその先端縁を装着筒部３２内面に圧接してなる場合には、筒部材Ｃへのアンブレラ型弁体Ｂの組み付け操作が容易であり、また、アンブレラ型弁体Ｂを組み付けた筒部材Ｃの泡吐出器への組み付けも極めて容易となる利点がある。
【００１３】
泡吐出器が、容器体８０の口頸部８１外周に嵌合させる装着キャップ４０に上端部を固定して容器体８０内に垂下するとともに、大径の空気用シリンダ４２及び小径の液用シリンダ４３を上下に同心円状に連設してなるシリンダ部材４１と、液用シリンダ４３内を摺動する液用ピストン５２をステム５１外周下部より突設するとともに、空気用シリンダ４２内を摺動する空気用ピストン５３をステム５１外周上部に連係させ、ステム５１上端に吐出ヘッドＡを嵌着して上方付勢状態で上下動可能に装着した作動部材５０とを備え、作動部材５０の上下動により液用シリンダ４３内の液と空気用シリンダ４２内の空気を合流させて起泡させ、吐出ヘッドＡの吐出口より泡として吐出する如く構成した泡吐出器である場合には、良好な泡の吐出を行える利点を兼ね備える。
【図面の簡単な説明】
【００１４】
【図１】泡吐出器の一部切欠側面図である。（実施例１）
【図２】ノズル先端部の要部拡大断面図である。（実施例１）
【図３】ノズル先端部の泡吐出時の要部矢視図である。（実施例１）
【発明を実施するための形態】
【００１５】
以下、本発明の形態を図面を参照して説明する。
【００１６】
図１は本発明の吐出ヘッドＡを備えた泡吐出器の実施例１を示す。
【００１７】
吐出ヘッドＡは、ステム５１の外周上端部に嵌合させた縦筒１０を頂板１１裏面より垂設し、頂板１１周縁部からは外側垂壁部１２を垂設し、また、縦筒１０と外側垂壁部１２との中間に内側垂壁部１３垂設しており、更に、縦筒１０の上端に基端を開口して、内側垂壁部１３、外側垂壁部１２を貫通して前方へ突設したノズル１４を延設し、その先端に吐出口を開口している。
【００１８】
本発明では、ノズル１４の先端部にエラストマー等により形成される柔軟で弾力性に富む材質で形成されたアンブレラ型弁体Ｂを設けている。アンブレラ型弁体Ｂは、ノズル１４の先端部に於いて、前方へ向かって広がるテーパ状の弁板２０の先端縁を流路ｐの筒壁内面に圧接して流路ｐを閉塞するとともに、吐出操作時の内圧で弁板２０先端部を中心側へ弾性変形することで泡の吐出が可能となる。
【００１９】
本例では、アンブレラ型弁体Ｂを、ノズル１４の先端部に嵌着した筒部材Ｃを介して装着している。
【００２０】
筒部材Ｃは合成樹脂製で、ノズル１４の先端部内に嵌着した嵌合筒部３０の先端縁よりノズル１４の端面に係合するフランジ３１を介して嵌合筒部３０より大径の装着筒部３２を延設して、この装着筒部３２の先端を泡吐出口とするとともに、装着筒部３２内中央に支持リブ３３により支持された支持棒３４を備えている。各支持リブ３３は装着筒部３２の内面より中心に向かって周方向複数突設したものであり、各先端に支持棒３４の外面を一体に連結している。また、支持棒３４の外面には係止突条を突周設している。また、アンブレラ型弁体Ｂは、支持棒３４外周に嵌着固定した嵌着筒部２１の後端部外面より前方へ広がるテーパ状の弁板２０を突設してその先端縁を装着筒部３２内面に圧接している。嵌着筒部２１の先端は、係止突条３５後面に当接係止され、後面各支持リブ３３の前面に当接係止される。
【００２１】
上記の如き吐出ヘッドＡは、図２（ａ）に示す如く、常時は弁板２０により流路ｐを閉塞しており、泡の吐出時には、図２（ｂ）に示す如く、吐出操作時のノズル内の内圧で弁板２０を中心側に弾性変形させて弁板２０の外方より泡を吐出する。泡の吐出が無くなると弾性復元力で弁板２０は元の状態に戻る。
【００２２】
以下、吐出ヘッドＡを装着する泡吐出器の一例を説明する。
【００２３】
泡吐出器１は、口頸部８１に嵌合させる装着キャップ４０により容器体８０に着脱可能に装着する如く構成している。装着キャップ４０の下面にはシリンダ部材４１を垂設しており、シリンダ部材４１は、上端を装着キャップ４０の下面に嵌着固定し、大径の空気用シリンダ４２の下部に、小径の液用シリンダ４３を同心円状に延設している。また、液用シリンダ４３の下端よりパイプ嵌合筒４４を一体に垂設し、パイプ嵌合筒４４には吸い上げ用のパイプ４５の上端を嵌着し、その下端を容器体８０内下端部に垂下させている。
【００２４】
また、シリンダ部材４１に対して上方付勢状態で上下動可能に作動部材５０を設けている。
【００２５】
作動部材５０は、ステム５１の外周下部に液用シリンダ４３内周を摺動する液用ピストン５２を備え、ステム５１外周の上下方向中間部に空気用シリンダ４２内周を摺動する空気用ピストン５３を備えている。また、ステムの上端には上記吐出ヘッドＡを嵌着固定している。そして、コイルスプリンクｓにより常時上方へ付勢させている。
【００２６】
ステム５１内上部には吐出弁５４を設けており、また、空気用シリンダ４２内より吐出弁５４下流のステム５１内に至る空気通路５５を設けており、この空気通路５５とステム５１内の合流位置を気液混合室Ｒとしている。
【００２７】
空気用ピストン５３は、内周縁をステム５１外周に小幅の上下動が可能に嵌合させ、外周縁部を空気用シリンダ４２の内周に液密摺動可能に嵌合している。また、空気用ピストン５３の内周縁部とステムに突設した弁座とで空気吐出弁５６を構成している。この空気吐出弁５６は、作動部材５０が最上方へ押し上げられている場合には閉塞しており、作動部材５０を押し下げた際には開弁し、更に、押し下げ状態から上方付勢力により上昇する際には閉塞する如く構成している。
【００２８】
また、空気用ピストン５３には外気を導入するための外気導入弁５７を設けている。外気導入弁５７は、下降した作動部材５０が上昇する際に空気用シリンダ４２内が負圧となることがで開弁し、外気を導入する。
【００２９】
また、気液混合室Ｒ下流には起泡部材６０を設けている。
【００３０】
液用シリンダ内にはポペット弁体６５を設けており、下面周縁部と液用シリンダ４３底部の吸込み弁用の弁座とで吸込み弁６６を形成しており上下動が可能に装着している。ポペット弁体６５の上端部とステム５１内の逆止弁用の弁座とで逆止弁６７を形成している。
【００３１】
また、吐出ヘッドＡ下面と装着キャップ４０上面との間に着脱可能にスペーサー７０を装着しても良い。
【００３２】
上記泡吐出器１は、図１の状態からスペーサー７０を外して吐出ヘッドＡを押し下げると、空気用ピストンがステム５１に対して相対的に上昇して空気吐出弁５６が開き、下降する空気用ピストン５３により空気用シリンダ４２内の空気が加圧されて空気通路５５を介して気液混合室Ｒ内に導入される。一方、液用シリンダ４３が下降してポペット弁体６５を吸込み弁用の弁座に当接させるまで下降させるとともに、ポペット弁体６５がステム５１に対して相対的に上昇して逆止弁６７が開き、液用シリンダ４３内の加圧液を吐出弁５４を介して気液混合室に導入させ、ここで、気液を混合する。この際ポペット弁体６５はステム５１に対して相対的に上昇する。気液混合室Ｒで混合された気液は、起泡部材６０を通過して発泡し、吐出ヘッドＡに導入され、アンブレラ型弁体Ｂの弁板２０を弾性変形させて外部へ吐出される。
【００３３】
吐出ヘッドＡの押圧を解除すると、コイルスプリンクｓの付勢力により作動部材５０が上昇し、その際空気用ピストン５３がステム５１に対して相対的に下降して空気吐出弁５６が閉じ、空気用シリンダ４２内の負圧化によって外気導入弁５７が開いて外気が空気用シリンダ４２内に導入される。一方、ステム５１の上昇によりポペット弁体６５は上昇し、吸込み弁６６が開いて負圧化した液用シリンダ４３内に容器体８０内の液が導入され、その際吐出弁５４は閉じる。
【符号の説明】
【００３４】
１：泡吐出器
Ａ：吐出ヘッド
１０…縦筒、１１…頂板、１２…外側垂壁部、１３…内側垂壁部、１４…ノズル
Ｂ：アンブレラ型弁体
２０…弁板、２１…嵌着筒部
Ｃ：筒部材
３０…嵌合筒部、３１…フランジ、３２…装着筒部、３３…支持リブ、３４…支持棒、
３５…係止突条
４０：装着キャップ
４１：シリンダ部材
４２…空気用シリンダ、４３…液用シリンダ、４４…パイプ嵌合筒、４５…パイプ
５０：作動部材
５１…ステム、５２…液用ピストン、５３…空気用ピストン、５４…吐出弁、
５５…空気通路、５７…外気導入弁、６０…起泡部材
６５：ポペット弁体
６６…吸込み弁、６７…逆止弁
７０：スペーサー
８０：容器体
８１…口頸部
ｓ：コイルスプリング
Ｒ：気液混合室
ｐ：流路
【図１】
0005729821.tif 000002
【図２】
0005729821.tif 000003
【図３】
0005729821.tif 000004